【事件の表示】
　平成１０年特許願第３１５４６２号「回線網接続用の画像形成装置」拒絶査定不服審判事件〔平成１２年　４月２８日出願公開、特開２０００−１２５０７３〕について、次のとおり審決する。
【結　論】
　本件審判の請求は、成り立たない。
【理　由】
１．　手続の経緯
　本願は、平成１０年１０月１９日の出願であって、平成１７年１月２８日付で拒絶査定がされ、これに対して同年３月１日に拒絶査定不服審判が請求されたものである。
　
２．　本願発明
　本願の請求項１に係る発明は、平成１６年８月１７日付の手続補正書により補正された明細書及び図面の記載からみて、その特許請求の範囲の請求項１に記載された次のとおりのものである。（以下「本願発明」という。） 
　「回線網に接続し、該回線網に接続されたデータベースと通信を行う通信手段と、
　前記データベースに格納された情報を検索する検索手段と、
　該検索手段が検索した情報を表示する情報表示手段と、
　該情報表示手段に表示した情報を選択する選択手段と、
　前記選択手段により選択済の情報を情報出力媒体に出力する出力手段と
を一体に備えたことを特徴とする回線網接続用の画像形成装置。」
　
３．　引用例
　これに対して、原査定の拒絶の理由に引用された特開平０５−０１２３４６号公報（以下「引用例」という。）には、次の事項が記載されている。
　
　ア　「【０００９】
【作用】このように、本発明によれば、データベースに対してはるかに容易に且つ迅速にアクセスできる。一実施例においては、データベースにダイヤル後、操作指示文のコピー及び、又は情報メニューのコピーを出力するために、予め指定されたボタン（「検索」と表示されている）を押すように促す呼掛け文がユーザに送信される。「検索」ボタンを押すとすぐにオンラインにより、操作指示文又はメニューのコピーがファクシミリメッセージで出力される。これは、ユーザが長いオプションリストを記憶したりメモしたりする必要がないという利点がある。」
　
　イ　「【００１１】
【実施例】図１は、本発明による情報検索設備の実施例を示すブロック図で、ファクシミリ（ＦＡＸ）装置１００を電話交換網１２０を経て情報検索・文書配布ホストシステム１４０に接続して構成される。
【００１２】図中、網制御装置（ＮＣＵ）１０１は、ＦＡＸ装置１００と交換網施設１１９とのインタフェース接続を既知の方法で制御する。又、交換網施設１１９は、ＦＡＸ装置１００を電話交換網１２０に接続する。ＮＣＵ１０１は、ＦＡＸ装置１００と交換網施設１１９との間の信号通信（総合サービスデジタル網（ＩＳＤＮ）信号通信を含む）及び音声／データ通信を可能にする。
【００１３】通信ユニット１０２は、ＮＣＵ１０１と制御ユニット１１０との間を接続する。通信ユニット１０２には、イメージ信号の変調及び復調用のモデム１０４とイメージ信号のデコーディング（復号化）及びエンコーディング（符号化）用のデコーダ（ＤＥＣ）（復号器）／エンコーダ（ＥＮＣ）（符号器）１０５とが含まれる。この通信ユニット１０２には更に、タッチトーン等によって呼び出し通話のためにダイヤルするのに用いられる二周波数組み合せ信号（ＤＴＭＦ）発生器１０３も含まれる。
【００１４】制御ユニット１１０は、ＦＡＸ装置１００の作動を制御する。制御ユニット１１０は又、プログラム制御によって作動し、ＮＣＵ１０１、通信ユニット１０２、電話機１０９、操作パネル１０６、記録ユニット１０７、及び走査ユニット１０８の作動を制御する。制御ユニット１１０には、マイクロプロセッサ１１１、ＲＯＭ１１２、及びＲＡＭ１１３が含まれる。ＲＯＭ１１２、及びＲＡＭ１１３には、標準ＦＡＸ機能並びに本発明による種々の項目及び機能の実施に必要なプログラムを記憶する。
【００１５】操作パネル１０６にはＦＡＸ装置の操作及び情報入力用の押しボタン又はスイッチ、及びディスプレイを設ける。本発明の一実施例においては、ホストシステム１４０の対話型作動モード設立用に検索項目ボタン１１６を用いる。検索項目ボタン１１６にはＦＡＸ装置のユーザに検索項目が起動されたことを示す発光ダイオード（ＬＥＤ）１１７又は類似の視覚指示器を組み合わせて用いる。
【００１６】記録ユニット１０７は一般には、受信したファクシミリ（ＦＡＸ）メッセージのハードコピー生成用の印刷ユニットである。走査ユニット１０８は、ＦＡＸ装置で送信する文書のイメージを周知の方法で読み取るために用いる。
【００１７】電話交換網１２０は、交換網施設１１９及び１２１を経てＦＡＸ装置１００とホストシステム１４０とを接続する。電話交換網１２０は、ボタン電話システム、構内交換機（ＰＢＸ）、統制局内交換機、又は他の周知の交換装置を意味する。
【００１８】ホストシステム１４０には、ホストシステム１４０と交換網施設１２１とのインタフェース接続を制御する網制御装置（ＮＣＵ）１４１が含まれる。ＮＣＵ１４１は、コントローラ１５０に制御されて信号通信（総合サービスデジタル網（ＩＳＤＮ）信号通信を含む）及び音声／データ通信を可能にする。ファクシミリ（ＦＡＸ）端末回路１４２は周知の方法で作動して、テキスト及び図形データを、交換網施設１２１を通して搬送するためにファクシミリデータ信号に変換するインターフェースとして働く。テキスト及び図形データは、ユーザの特定の要求に応じてコントローラ１５０によってデータベース１４６から得る。
【００１９】データベース１４６は、音声、図形、及びテキストファイルを記憶しており、ユーザがＦＡＸ装置１００でアクセスできる。データベース１４６には、例えば周知のフロッピーディスク記憶装置、ハードディスク記憶装置、又は同等の記憶装置を用いる。」
　
　ウ　「【００３０】ユーザが「検索」ボタン１１６を押したとすると、起動信号がＦＡＸ装置１００からホストシステム１４０に送られる。これに応じてホストシステム１４０のコントローラ１５０が、ステップ２０７において対話型作動モードの「検索」項目を起動し、ユーザに出力する最初のＦＡＸメッセージを生成する。最初のＦＡＸメッセージは、ホストシステム１４０において利用可能な「検索」項目サービスのメニューを含む予め定められたＦＡＸメッセージである。
【００３１】コントローラ１５０は、ステップ２０８においてデータベース１４６にアクセスしてテキスト及び図形の形で「検索」項目メニューを取り出す。取り出されたメニューは、ＦＡＸメッセージとしてユーザに出力される。「検索」項目メニューのＦＡＸメッセージは例えば、図３又は図４に示すような形式のものである。検索項目メニューには、ユーザの求める３０２のような情報をユーザが要求又は選択できるようにする３０１、３０３のようなデータ指示文が含まれる。
【００３２】例えば、図３のＦＡＸメッセージは、ホストシステム１４０に要求する特定の情報に関連したコードをユーザが入力する必要があることを知らせる。これにより、ステップ２１１においてユーザはタッチトーン信号によって、もし株式情報を求めるならコード０１を、又もし債券情報を求めるならコード０２をというように、該当するコードを入力する。
【００３３】ステップ２１１は、図３のＦＡＸメッセージをユーザが受信し、それによってＦＡＸ装置の電話機１０５の適当なボタンを押して、求める情報を選択要求することを想定している。そして、ユーザは「検索」ボタンを押し、又は同様に「検索」項目コードを入力する。これがユーザの入力完了を示す一連の操作の終了区切り符号として作用する。
【００３４】ステップ２１５において、ＤＴＭＦデコーダ１４３はユーザの入力を復号化し、コントローラ１５０は周知の方法でデータベース１４６にアクセスして、ユーザの要求する情報を取り出す。ステップ２１７において、コントローラ１５０は、要求された情報をＦＡＸ端末回路１４２がユーザのＦＡＸ装置１００に出力できるようにする。
【００３５】本発明の別の態様によれば、上記の代わりに、ユーザは図４の「検索」項目メニューのＦＡＸメッセージにユーザの情報要求を記入したものを用いて要求を入力することもできる。」
　
　したがって、上記アないしウの記載及び図面から、引用例には、
「操作及び情報入力用の押しボタンや検索ボタンが設けられた操作パネルと、印刷ユニットと、通信ユニットを有し、電話交換網を経て情報検索・文書配布ホストシステムに接続され、該ホストシステムにおいて利用可能な検索項目サービスのメニューの中から、ユーザが選択した検索項目に対応するコードをタッチトーン信号で入力してホストシステムに送信し、該信号を受け取ったホストシステムから、ホストシステム内のデータベースをアクセスして取り出されたユーザが要求する情報を受信し、該受信した情報を出力する、ファクシミリ装置」の発明（以下、「引用発明」という。）が記載されていると認められる。
　
４．　対比
　引用発明の「ファクシミリ装置」と「電話交換網」とは、本願発明の「画像形成装置」と「回線網」とに相当する。
　引用発明の「通信ユニット」は、電話交換網に接続され、イメージ信号やタッチトーン信号を用いて、ホストシステム内のデータベースに対して、ユーザが選択した検索項目や、ユーザが要求する情報のやり取りを行うものであるから、「回線網に接続し、該回線網に接続されたデータベースと通信を行う通信手段」であるといえる。
　引用発明において「データベースにアクセスしてユーザの要求する情報を取り出す」ことは、本願発明の「データベースに格納された情報を検索する」ことに相当する。
　ファクシミリ装置は、通信手段や印刷手段等の各種手段を一体に備えたものが普通であり、引用例の図面図１において、各ユニットは、ユーザのＦＡＸ装置１００の一点錯線で囲われ、一体でないものとはいえない。そうすると引用発明も、通信ユニットや印刷ユニット等を一体に備えたものであるといえる。
　引用発明の「操作パネル」は、「ユーザが選択した検索項目に対応するコード」を入力することで、ホストシステムのデータベースに対して検索を行うものであるから（引用例、前掲イの段落【００１５】、及び前掲ウの段落【００３２】）、本願発明の「データベースに格納された情報を検索する検索手段」に相当する。
　引用発明は、印刷ユニットから紙媒体に出力するものであるから（引用例、前掲イの段落【００１６】）、引用発明の「印刷ユニット」は、本願発明の「情報出力媒体に出力する出力手段」に相当する。
　
　したがって、本願発明と引用発明とは、「回線網に接続し、該回線網に接続されたデータベースと通信を行う通信手段と、データベースに格納された情報を検索する検索手段と、検索した情報を情報出力媒体に出力する出力手段とを一体に備えたことを特徴とする回線網接続用の画像形成装置」点で一致し、次の点で相違する。
　
　［相違点］
　本願発明は、「検索手段が検索した情報を表示する情報表示手段」と「情報表示手段に表示した情報を選択する選択手段」とを備え、検索された情報を表示手段で確認し、必要な情報のみ選択手段で選択して出力するのに対して、引用発明は、前記２手段を備えておらず、検索手段が検索した情報をそのまま出力するものである点。
　
５．　当審の判断
　［相違点］について
　ファクシミリ装置において、不必要な印刷出力を防止するために、表示手段と選択手段とを設け、受信された情報を表示し、必要な情報のみを選択して出力することは、周知技術である。
　例えば、特開平０５−１２２４２５号公報に「【請求項１】受信した画像データを蓄積する蓄積手段と、この蓄積手段で蓄積された画像データを表示する表示手段と、オペレータからの指示により前記蓄積手段で蓄積された画像データの廃棄または印刷を選択実行できる選択手段とを備えていることを特徴とするファクシミリ装置」、及び特開平０６−００６４９８号公報に「【０００６】【課題を解決する手段】本発明は、受信画像情報を表示可能な表示装置をファクシミリ本体上に設けたファクシミリ装置において、複数の宛先から受信した複数のページの画像を上記表示装置に同時に表示し、この表示された複数のページの画像をユーザが目視により判断し、その中からプリント、消去または送信処理したい画像を選択することを特徴とする。」と記載されている。
　そうすると、引用発明において上記周知技術を採用し、不必要な出力を防止するために、「検索手段が検索した情報を表示する情報表示手段」と「情報表示手段に表示した情報を選択する選択手段」とを設け、ホストシステム内のデータベースにおいて検索した情報を受信し、該検索した情報を表示手段に表示し、表示した情報を選択手段によって選択し、選択された情報のみを出力することは、当業者が容易に想到できたことである。
　
　そして、本願発明の作用効果も、引用発明から、当業者が予測できる範囲のものである。 
　
６．　むすび
　以上のとおり、本願発明は、引用例に記載された発明に基づいて当業者が容易に発明をすることができたものであるから、特許法２９条２項の規定により特許を受けることができない。
　したがって、本願は、他の請求項について検討するまでもなく、拒絶されるべきものである。 
　よって、結論のとおり審決する。